(57)【要約】【課題】誤操作を避けたいスイッチへの誤操作を確実に阻止し得るようにする。【解決手段】操作者の左右の掌による左右方向からの掌握を可能にする任意形状の平板状に形成される本体１の上面となる操作面１ａに複数のスイッチＳ１，Ｓ２，Ｓを有してなるコントローラにおいて、任意数のスイッチＳ１，Ｓ２，Ｓ３が本体１の両側に位置決められる左右の掌から延びる指が届く範囲内に配在される一方で、特定のスイッチ２（３）が本体１の両側に位置決められる左右の掌から延びる指が届かない範囲内に配在されてなる。【選択図】図１
2007104299.tif 000002
【特許請求の範囲】
【請求項１】
操作者の左右の掌による左右方向からの掌握を可能にする任意形状の平板状に形成される本体の上面となる操作面に複数のスイッチを有してなるコントローラにおいて、任意数のスイッチが本体の両側に位置決められる左右の掌から延びる指が届く範囲内に配在される一方で、特定のスイッチが本体の両側に位置決められる左右の掌から延びる指が届かない範囲内に配在されてなることを特徴とするコントローラ
【請求項２】
特定のスイッチが本体の両側に位置決められる左右の掌から延びる指が届かない本体における操作面の中央部に配在されてなる請求項１に記載のコントローラ
【請求項３】
特定のスイッチが本体における操作面の反対面となる裏面に配在されてなる請求項１に記載のコントローラ
【発明の詳細な説明】
【技術分野】
【０００１】
この発明は、コントローラに関し、特に、複数のスイッチやダイヤルを有するコントローラの改良に関する。
【背景技術】
【０００２】
たとえば、コンクリートミキサー車に搭載のミキサードラムにおける回転を制御するためなどに、複数のスイッチやダイヤルを有するコントローラが利用されることがあるが、このコントローラにおいて操作すべきスイッチやダイヤルの選択を誤ること、すなわち、誤操作が招来され易いことは、経験側の示すところである。
【０００３】
そこで、たとえば、特許文献１には、複数のスイッチを有するコントローラに相当するハンドセットがスライド自在に設けられたカバーを有してなるとする提案が開示されている。
【０００４】
それゆえ、この提案によれば、カバーがスイッチに相当するテンキーを覆うように構成されてなるとするから、不要時にカバーでテンキーを覆うようにすることによって、いわゆる意味なくテンキーを押すことを回避できることになる。
【特許文献１】実開平５‐４６１３５号公報（特許請求の範囲  請求項１，請求項２，請求項３，請求項４，明細書中の段落０００５，同０００６，同００１２，図１，図２，図３）
【発明の開示】
【発明が解決しようとする課題】
【０００５】
しかしながら、上記した特許文献１に開示の提案にあって、カバーが全部のテンキーを覆うように形成される場合には、特定のテンキーのみに対する誤操作を回避したいときにも全部のテンキーが覆われることになり、そのため、他のテンキーの操作を要するときにカバーを全面的に退避させることがあり得ることになり、その場合には、本来の誤操作を回避できなくすることになる危惧がある。
【０００６】
一方、上記した特許文献１に開示の提案にあって、カバーが一部のテンキーを覆うように形成される場合にも、スライドするカバーの配在には言わば大袈裟な構成が採用されることになり、部品点数や組立工数の増大によっていたずらな製品コストの増大を招くことになる不具合がある。
【０００７】
この発明は、このような現状を鑑みて創案されたものであって、その目的とするところは、誤操作を避けたい特定のスイッチへの誤操作を確実に阻止し得るようにして、その汎用性の向上を期待するのに最適となるコントローラを提供することである。
【課題を解決するための手段】
【０００８】
上記した目的を達成するために、この発明によるコントローラの構成を、基本的には、操作者の左右の掌による掌握を可能にする任意形状の平板状に形成されながら上面となる操作面に複数のスイッチを有してなるコントローラにおいて、スイッチが操作面に上方に向けて突設される突出部の軸芯部に形成の凹部に配在されて作動方向を上下方向とするプッシュ型のボタンからなると共に、スイッチが両側に位置決められる左右の掌から延びる指が届く範囲内に複数配在されてなり、この複数のスイッチの一つあるいは複数が遮蔽体の配在で上記の指による操作を不能にしてなるとする。
【発明の効果】
【０００９】
それゆえ、この発明にあっては、コントローラたる本体を左右の掌で左右方向から掌握する利用状態のときに、各掌から延びる指が特定のスイッチには届かない状態になり、したがって、スイッチを不用意に押圧する誤操作を回避することが可能になる。
【００１０】
そして、特定のスイッチは、コントローラたる本体を左右の掌で左右方向から掌握する通常の利用状態では、これをオン操作し得ないことになるから、この特定のスイッチをオン操作するときには、その必要性を確認した上で操作することになり、誤操作の危惧すら排除されることになる。
【００１１】
その結果、この発明によれば、誤操作を避けたい特定のスイッチへの誤操作を確実に阻止し得ることになり、その汎用性の向上を期待するのに最適となる。
【発明を実施するための最良の形態】
【００１２】
以下に、図示した実施形態に基づいて、この発明を説明するが、この発明によるコントローラは、図示しないが、たとえば、コンクリートミキサー車に搭載のミキサードラムにおける回転を制御するために利用される。
【００１３】
そして、この発明によるコントローラは、図１に示すように、基本的には、本体１が任意形状の平板状に形成されるもので、この本体１の大きさは、無線構造とされて携帯に便利なコントローラとされる性質上、多くの場合に、操作者が左右の掌によって左右方向から掌握することを可能にする大きさに設定されるであろう。
【００１４】
ちなみに、本体１において、これを平面的に看るとき、図中で上方の左右の角部にあっては、たとえば、ここに隣接される操作者の指に馴染み易いように側面が円弧状に形成されてなるとしている。
【００１５】
そして、このとき、図示するところにあっては、この角部に副えられた指がいわゆる滑って、本体１の上面たる操作面１ａ上に侵入してくることを阻止するガード部１ｂが形成されてなるとしている。
【００１６】
なお、図示する実施形態にあっては、本体１の図中で下方となる両方の角部は、軸１１を有するベルト通し部１ｃとされていて、この本体１をベルトに保持させることで、このコントローラの手放しの携帯を可能にするようにしている。
【００１７】
ところで、凡そこの種のコントローラがそうであるように、この発明によるコントローラにあっても、本体１の操作面１ａには、複数のスイッチとダイヤルを有してなるとしている。
【００１８】
少し説明すると、この発明によるコントローラは、この実施形態では、コンクリートミキサー車に搭載のミキサードラムにおける回転を制御すると共に、ミキサードラム内に収容されているコンクリート（以下、生コンと略称する）を排出していわゆる空になったミキサードラム内を洗浄するときに利用するとされていることから、起動スイッチＳ１と、非常停止スイッチＳ２と、自動混練スイッチＳ３と、自動洗浄スイッチ２とを有してなると共に、メインダイヤルＤ１を有してなり、さらには、電源ランプＬ１と、低電圧ランプＬ２と、充電ランプＬ３とを有してなるとしている。
【００１９】
このとき、各スイッチＳ１，Ｓ２，Ｓ３および２は、操作面１ａに上方に向けて突設される突出部１ｄの軸芯部に形成の凹部１ｅに配在されるプッシュ型のボタンからなるとし、いわゆるボタンを押すようにする操作でオン操作されるとしている。
【００２０】
ちなみに、起動スイッチＳ１は、ミキサードラムの回転やミキサードラムの洗浄などの諸操作を行うときにオン操作されるもので、このとき、電源が入っていることを電源ランプＬ１の点灯で確認し得るとしている。
【００２１】
なお、低電圧ランプＬ２は、このコントローラの使用電源が不足することを警告するときに点灯し、故障ランプＬ３は、このコントローラの充電中にこれを点灯表示する。
【００２２】
非常停止スイッチＳ２は、緊急時にミキサードラムの回転を停止させるためにオン操作されるもので、平常時にミキサードラムの回転を停止させるのは、後述するメインダイヤルＤ１の回動操作による。
【００２３】
自動混練スイッチＳ３は、ミキサードラムの高速回転を実現する場合にオン操作されるもので、主に、排出前のミキサードラム内の生コンにおける品質を向上させるためにミキサードラムを高速回転させる。
【００２４】
自動洗浄スイッチ２は、この発明において特定のスイッチとされているもので、生コンを全排出したミキサードラム内に付着した生コンの言わば残り滓を洗浄水で洗浄する場合にオン操作されるもので、このとき、ミキサードラムは、高速回転されるが、ミキサードラムからの生コンが全排出されていない内には、絶対的にオン操作されてはならないとされている。
【００２５】
メインダイヤルＤ１は、たとえば、時計方向に回動することで、ミキサードラムの投入方向への回転、すなわち、生コンをミキサードラム内に収容する方向への回転およびその回転速度を回転角度に依存して速くするように制御するもので、図示する回動開始前の状態では、ミキサードラムを回転し得ない設定とされている。
【００２６】
ところで、この発明におけるコントローラにあっては、上記した本体１おける操作面１ａにおいて、自動混練スイッチＳ３にスイッチＳ４が近隣されない、すなわち、特定のスイッチＳ４たる自動洗浄スイッチ２が隣設されないとしている。
【００２７】
すなわち、凡そこの種のコントローラにおいては、上記の各スイッチＳ１，Ｓ２，Ｓ３，Ｓ４は、本体１の両側に位置決められる操作者の掌から延びる指が届く範囲内に複数、すなわち、図示するところを参考にすると、本体１の左方部にスイッチＳ１，Ｓ２が、および、本体１の右方部にスイッチＳ３，Ｓ４が、それぞれ二個づつ配在されてなるとするのが常態である。
【００２８】
そして、このように、本体１のいわゆる左右部に二個づつ配在され、しかも、この左右部が操作者の指の届く範囲内とされていることから、いわゆる押し間違いなどの誤操作を招来させ易いことの一因にもなっていた。
【００２９】
そこで、この発明では、上記したように種々のスイッチがある中で、特に、特定のスイッチたる自動洗浄スイッチ２が誤作動されることは、コンクリートの品質を悪くすることに繋がるから、この自動洗浄スイッチ２に対する不注意などによる誤操作を絶対的に避けるために、上記の自動混練スイッチＳ３に少なくとも特定のスイッチたる自動洗浄スイッチ２を近隣させないとするものである。
【００３０】
すなわち、基本的には、図１中におけるスイッチＳ４の位置に自動洗浄スイッチ２を配在せずして、この発明の図１に示す実施形態では、本体１の操作面１ａの中央部に、すなわち、本体を掌握する操作者の指が簡単には届かない部位に配在されるとするものである。
【００３１】
こうすることによって、自動洗浄スイッチ２をオン操作する場合には、たとえば、操作者が本体１を掌握するいずれか一方の掌を本体１から離すようにして掌から延びる指でこの自動洗浄スイッチ２をオン操作することになり、そこには、操作者において意思の確認が伴い、したがって、誤操作でこの特定のスイッチたる自動洗浄スイッチ２をオン操作することを確実に回避し得ることになる。
【００３２】
以上からすれば、操作者が特定のスイッチをオン操作する意思を伴わない限りには、この特定のスイッチをオン操作できないようにする構成については種々提案し得ることになるが、たとえば、図２に示す実施形態では、特定のスイッチたる自動洗浄スイッチ３が本体１における操作面１ａの反対面となる裏面１ｆに配在されてなるとする。
【００３３】
そして、この裏面１ｆに配在される自動洗浄スイッチ３たる特定のスイッチは、図示するところでは、本体１ａの裏面１ｆに配在されるという性質上、いたずらに裏面１より突出することが危惧されないスライド構造に形成されてなるとしている。
【００３４】
それゆえ、この実施形態による場合にも、前記した図１に示す実施形態の場合と同様に、操作者において意思の確認が伴い、したがって、誤操作でこの特定のスイッチたる自動洗浄スイッチ３をオン操作することを確実に回避し得ることになる。
【００３５】
すなわち、この図２に示す実施形態の場合には、自動洗浄スイッチ３をオン操作するについて、たとえば、操作者が本体１を反転させるようにする動作をしなければならず、その限りからすれば、操作者において意思の確認を伴いながらこの自動洗浄スイッチ３をオン操作することになる。
【００３６】
前記したところでは、特定のスイッチが自動洗浄スイッチ２，３であるとしたが、これは、自動洗浄スイッチ２，３に対する誤操作で自動洗浄装置が誤作動されると、特に、ミキサードラム内のコンクリートに悪影響を与えることになるのを絶対的に回避しなければならないことに基づく。
【００３７】
それゆえ、誤操作をしたくない観点からすれば、図示しないが、この発明の意図するところが他のスイッチに具現化されるとしても良いことはもちろんであり、この場合に、たとえば、本体１において、操作者の指が簡単には届かない部位に配在されるとするのはもちろんであるが、さらには、蓋やカバーなどの遮蔽体が附設されてなるとしても良いことはもちろんである。
【００３８】
また、前記したところでは、スイッチは、押しボタン構造に形成されてなるとしたが、この発明が意図するところからすれば、押しボタン構造に形成されていることが必須とされる訳ではなく、したがって、凡そオンオフ動作を実現し得る限りには自由な構成に形成されたスイッチにこの発明が具現化されるとしても良いことはもちろんである。
【００３９】
さらに、前記したところでは、コントローラが無線構造とされて携帯型に設定されてなるとしたが、この発明が意図するところからすれば、コントローラが有線構造とされて、たとえば、コンクリートミキサー車の運転席から延長されるリード線に接続されてなるとしても良いことはもちろんである。
【図面の簡単な説明】
【００４０】
【図１】この発明によるコントローラを示す平面図である。
【図２】特定のスイッチを裏面に配在したコントローラを示す図である。
【符号の説明】
【００４１】
１  本体
１ａ  操作面
１ｄ  突出部
１ｅ  凹部
２，３  特定のスイッチたる自動洗浄スイッチ
Ｓ１  起動スイッチ
Ｓ２  非常停止スイッチ
Ｓ３  自動混練スイッチ
【図１】
2007104299.tif 000003
【図２】
2007104299.tif 000004